【手続補正書】
【提出日】平成15年6月10日(2003.6.10)
【手続補正１】
【補正対象書類名】明細書
【補正対象項目名】特許請求の範囲
【補正方法】変更
【補正の内容】
【特許請求の範囲】
【請求項１】
作動液の顕熱による熱諭送（作動液の振動及び又は循環による熱輸送）を主たる熱輸送原理とする蛇行細径トンネルヒートパイプからなるプレートヒートパイプを第一の構成要素とし、作動液の潜熱による熱輸送（作動液の蒸気移動時の蒸発及び凝縮による熱輸送）を主たる熱輸送原理とする非蛇行の細径トンネルヒートパイプからなるヒートパイプを第二の構成要素とする、両構成要素が複合一体化されてなる複合型プレートヒートパイプであって、第一の構成要素のプレートヒートパイプは、基本的には片側のプレートが他の側のプレートに比較して、より展延性に富む金属材料からなるか、またはより薄肉に形成されてあるかする、２枚の展延性に富む金属の薄肉プレートが相互に接合されて積層プレートが形成され、その積層プレートの接合は接合面にターン部と並列部からなる蛇行パターンの長尺細幅の非接合部が残置される接合であり、この非接合部は高圧流体により拡管成形され、これにより積層接合面にはターン部と並列部からなる長尺細径の蛇行トンネル空間が形成されてあり、このトンネル空間はその両端に楔状突起空間を有する楕円または半円の断面形状であり、その相当直径は５ｍｍ以下であり、蛇行ピッチは約２０ｍｍ以下であり、この積層プレートの外表面の片面または両面の何れかの面には、蛇行トンネル空間の断面形状に対応し、また蛇行パターンに対応して、おのずから発生する蛇行パターンエンボスが形成されてあり、蛇行細径トンネル空間には所定の二相凝縮性作動液が封入されて、蛇行細径トンネルヒートパイプとして構成されてあるプレートヒートパイプであることを特徴とし、第二の構成要素のプレートヒートパイプは、第一の構成要素の積層プレートヒートパイプの蛇行パターンエンボスが形成されてある面（片面若しくは両面）に、エンボス頂部により形成される平面上に沿って薄肉の平板金属プレートが接合されてあり、更にこの平板金属プレートの蛇行パターンエンボスのパターン外周に若干の間隙を残す外周端縁は第一の構成要素の外周端縁と気密に接合されてあり、この接合により金属プレート内平面と蛇行パターンエンボス表面との間に形成される間隙は、おのずから角部が楔状突起空間をなす半円形断面形状の非蛇行トンネル空間群が一で連結された空間が形成され、この空間には所定の二相凝縮性作動液が封入されて、細径トンネルヒートパイプ群の連結体ヒートパイプとして構成されてあるプレートヒートパイプであることを特徴とし、上述の如き第一及び第二の構成要素が上述の如く自ら一体化され、全体として相互に補完しあって作動する薄形プレートヒートパイプとして構成されてあることを特徴とする複合型プレートヒートパイプ。
【請求項２】
第一の構成要素のプレートヒートパイプの蛇行細径トンネル空間にはその全内容積の少なくとも２０％以上の容積に相当する量の二相凝縮性作動液が封入されてあり、第二の構成要素プレートヒートパイプの非蛇行トンネル群が連結された空間にはその全内容積の多くても２０％以下の容積に相当する量の二相凝縮性作動液が封入されてあることを特徴とする請求項１に記載の複合型プレートヒートパイプ。
【請求項３】
第一の構成要素のプレートヒートパイプの蛇行細径トンネル空間にはその全内容積の多くとも２０％以下の容積に相当する量の二相凝縮性作動液が封入されてあり、第二の構成要素プレートヒートパイプの非蛇行トンネル群が連結された空間にもその全内容積の多くとも２０％以下の容積に相当する量の二相凝縮性作動液が封入されてあることを特徴とする請求項１に記載の複合型プレートヒートパイプ。
【請求項４】
第一及び第二の構成要素のプレートヒートパイプのトンネル空間の夫々には相互に最適作動温度領域が異なり、且つ成分の異なる、二相凝縮性作動液が封入されてあることを特徴とする請求項１に記載の複合型プレートヒートパイプ。
【請求項５】
第一の構成要素のプレートヒートパイプを形成する為の二枚の金属プレートからなる積層プレートに於ける、蛇行トンネルパターンエンボスとして形成される側のプレートはそれ自身も二種類の所定の金属素材ａ、ｂからなる薄形金属プレートａ１、ｂ１の積層プレートであり、この積層プレートａ１、ｂ１と、その片側の薄形金属プレートａ１と同一素材からなる他の金属プレートａ２、とが接合積層された積層プレートにより第一の構成要素が形成されてあり、他の片側の薄形金属プレートｂ１と同一素材からなる他の金属プレートｂ２と、積層プレートａ１、ｂ１により形成された蛇行細径トンネルパターンエンボスの頂部群との接合、及びこの平板金属プレートｂ２の蛇行パターンエンボスのパターン外周に若干の間隙を残す外周端縁は第一の構成要素の外周端縁と気密に接合されてあり、この接合により金属プレート内平面と蛇行パターンエンにより第二の構成要素が形成されてあり、第一の構成要素部と第二の構成要素部との夫々に形成されてあるトンネル空間ａ０、ｂ０には夫々の金属素材ａ、ｂと夫々に適合性の良好な夫々の所定の作動液が封入封止されてあり、上記金属素材ａ、ｂはトンネル空間ａ０、ｂ０の夫々に封入封止される対象とする所定の作動液に対して適合性の良好な金属素材の中から選択的に決定された金属素材であるか、或は所定の作動液は対象とする金属素材ａ、ｂに対して適合性の良好な種類の作動液の中から選択的に決定された作動液であるかの何れかであることを特徴とする請求項１に記載の複合型プレートヒートパイプ。
【請求項６】
薄形金属プレートａ１、ｂ１の何れか一方は金属素材ａ、ｂの何れかの薄膜層（メッキ層を含む）であり、金属プレートａ２、ｂ２の何れか一方はそれに替えて金属素材ａまたはｂの薄膜層（メッキ層を含む）ａ２またはｂ２の被覆が施されてある任意の金属素材で形成された補強用金属プレートａ３またはｂ３であってもよく、トンネル空間ａ０、ｂ０の内壁面は夫々に封入された作動液と適合性の良好な金属素材ａ、ｂのみで形成された材料であるように構成されてあることを特徴とする請求項５に記載の複合型プレートヒートパイプ。
【請求項７】
構成要素としてｐ１、ｐ２の二枚の第一の構成要素のプレートヒートパイプが適用されてあり、これらｐ１、ｐ２は何れも片側が平面で、他の片側に蛇行トンネルパターンのエンボスが形成されてある構成要素であり、第二の構成要素はそれらｐ１、ｐ２の構成要素の、何れか一方の構成要素の平面側と他の構成要素のエンボスの頂部群とが接合され、更にこの構成要素の平面側の蛇行パターンエンボスのパターン外周に若干の間隙を残す外周端縁が第一の構成要素の外周端縁と気密に接合されて構成されてあり、その接合における二枚の第一構成要素の相対的な方向は、夫々の構成要素の蛇行トンネルの直線部群の整列方向が、相互に平行する方向であるか、或いは相互に直交する方向であるか、の何れかであることを特徴とする請求項１に記載の複合型プレートヒートパイプ。
【請求項８】
構成要素としてｐ１、ｐ２の二枚の第一の構成要素のプレートヒートパイプが適用されてあり、これらｐ１、ｐ２は何れも片側が平面で、他の片側に蛇行トンネルパターンのエンボスが形成されてある構成要素であり、第二の構成要素を構成する為のプレートとしては薄肉プレートｐ３が共通のプレートとして用いられてあり、この薄肉プレートｐ３が、二枚の第一の構成要素ｐ１、ｐ２の蛇行トンネルパターンのエンボスが形成されてある側のエンボス頂部が形成する平面により挟持接合されて、更にこの薄肉プレートｐ３の蛇行パターンエンボスのパターン外周に若干の間隙を残す外周端縁が二枚の第一の構成要素ｐ１、ｐ２の外周端縁と気密に接合されて構成されて、その接合により隣接する二枚の第二の構成要素ｐ４、ｐ５が構成されてあり、その接合における二枚の第一構成要素の相対的な方向は、夫々の構成要素の蛇行トンネルの直線部群の整列方向が、相互に平行する方向であるか、或いは相互に直交する方向であるか、の何れかであることを特徴とする請求項１に記載の複合型プレートヒートパイプ。
【請求項９】
細径トンネルからなるプレートヒートパイプを２枚の金属プレートが相互に接合されて積層プレートが形成され、その積層プレートの接合は接合面にターン部と並列部からなるトンネルパターンの長尺細幅の非接合部が残置される接合であり、この非接合部は高圧流体により拡管成形され、これにより積層接合面にはターン部と並列部からなる長尺細径のトンネル空間が形成されたことを特徴とする細径トンネルヒートパイプ。
【請求項１０】
前記２枚の金属プレートは片側のプレートが他の側のプレートに比較して、より展延性に富む金属材料からなるか、またはより薄肉に形成されてあるかすることを特徴とする請求項９に記載の細径トンネルヒートパイプ。
【請求項１１】
請求項９又は１０に記載の細径トンネルヒートパイプ（第一の構成要素のヒートパイプ）のトンネルパターンエンボスが形成されてある面（片面若しくは両面）に、エンボス頂部により形成される平面上に沿って薄肉の平板金属プレートが接合されてあり、更にこの平板金属プレートの並列トンネルパターンエンボスのパターン外周に若干の間隙を残す外周端縁は第一の構成要素の外周端縁と気密に接合されてあり、この接合により金属プレート内平面とトンネルパターンエンボス表面との間に形成される間隙は、第二のトンネル空間群が連結された空間が形成され、この空間には所定の二相凝縮性作動液が封入されて、細径トンネルヒートパイプ群の連結体ヒートパイプとして構成されてあることを特徴とする複合型プレートヒートパイプ。